(57)【要約】【課題】被運動支援者の運動を支援する運動支援システム及び運動支援端末装置及び運動支援サーバ並びに運動支援方法に関し、運動を効率よく、かつ、的確に行える運動支援システム及び運動支援端末装置及び運動支援サーバ並びに運動支援方法を提供することを目的とする。【解決手段】本発明は、被運動支援者（２１）の運動を支援する運動支援システムであって、被運動支援者（２１）の身体の動きを検出し、検出された動き情報を送信するとともに、支援情報を受信して被運動支援者に報知する運動支援端末装置（１１）と、運動支援端末装置（１１）から送信された動き情報に基づいて被運動支援者の運動の状態を検出し、検出された被運動支援者の運動の状態に基づいて被運動支援者の動きを最適化するための支援情報を作成する運動支援サーバ（１３）とを有することを特徴とする。【選択図】図１
2005323967.tif 000002
【特許請求の範囲】
【請求項１】
被運動支援者の運動を支援する運動支援システムであって、
前記被運動支援者の身体の動きを検出し、検出された動き情報を送信するとともに、支援情報を受信して前記被運動支援者に報知する運動支援端末装置と、
前記運動支援端末装置から送信された前記動き情報に基づいて前記被運動支援者の運動の状態を検出し、検出された前記被運動支援者の運動の状態に基づいて前記被運動支援者の運動を支援する支援情報を作成する運動支援サーバとを有することを特徴とする運動支援システム。
【請求項２】
前記運動支援サーバは、前記支援情報を前記運動支援端末装置に送信することを特徴とする請求項１記載の運動支援システム。
【請求項３】
前記運動支援端末装置は、前記被運動支援者の身体の動きを検出する検出手段と、
前記検出手段で検出された前記被運動支援者の身体の動きを前記運動支援端末装置に送信するとともに、前記運動支援サーバから送信された前記支援情報を受信して前記被運動支援者に報知する通信手段とを有することを特徴とする請求項２記載の運動支援システム。
【請求項４】
前記検出手段は、前記被運動支援者の関節部分の近傍に装着され、前記関節部分に働く力を検出するセンサを有することを特徴とする請求項１乃至３のいずれか一項記載の運動支援システム。
【請求項５】
被運動支援者の身体の動きを検出する検出手段と、
前記被運動支援者の運動の状態に基づいて前記被運動支援者の動きを最適化するための支援情報を作成する運動支援サーバとの通信を行う通信手段と、
前記検出手段で検出された被運動支援者の身体の動きに基づいて前記運動支援サーバで作成され、前記通信手段により受信した前記支援情報を前記被運動支援者に報知する報知手段とを有することを特徴とする運動支援端末装置。
【請求項６】
被運動支援者の身体の動きを検出し、検出された動き情報を送信するとともに、支援情報を受信して前記被運動支援者に報知する運動支援端末装置との通信を行う通信手段と、
前記通信手段により前記運動支援端末装置から送信された前記動き情報を検出し、検出された前記被運動支援者の運動の状態に基づいて前記被運動支援者の動きを最適化するための支援情報を作成する処理手段とを有することを特徴とする運動支援サーバ。
【請求項７】
被運動支援者の運動を支援する運動支援方法であって、
前記被運動支援者に装着された運動支援端末装置と、
前記被運動支援者の動きを最適化するための支援情報を作成する運動支援サーバとを有し、
前記運動支援端末装置は、前記被運動支援者の身体の動きを検出し、検出された動き情報を送信し、
前記運動支援サーバは、前記運動支援端末装置から送信された前記動き情報に基づいて前記被運動支援者の運動の状態を検出し、検出された前記被運動支援者の運動の状態に基づいて前記被運動支援者の動きを最適化するための支援情報を前記運動支援手段に送信し、
前記運動支援端末装置は、前記支援情報を受信して前記被運動支援者に報知することを特徴とする運動支援方法。
【請求項８】
被運動支援者の運動を支援するサービスを提供するサービス提供方法であって、
前記被運動支援者に装着された運動支援端末装置と、
前記被運動支援端末装置を管理する管理サーバと、
前記被運動支援者の動きを最適化するための支援情報を作成する運動支援サーバとを有し、
前記運動支援端末装置は、識別情報を前記管理サーバに送信し、
前記管理サーバは、前記識別情報により本人確認が行われたときに、前記運動支援端末装置から前記運動支援サーバへの動き運動の供給を許可し、
前記運動支援サーバは、前記運動支援端末装置から送信された前記動き情報に基づいて前記被運動支援者の運動の状態を検出し、検出された前記被運動支援者の運動の状態に基づいて前記被運動支援者の動きを最適化するための支援情報を前記運動支援端末装置に送信し、
前記運動支援端末装置は、前記支援情報を受信して前記被運動支援者に報知することを特徴とするサービス提供方法。
【請求項９】
前記管理サーバは、前記運動支援端末装置からの前記動き情報に基づいて前記被運動支援者を識別することを特徴とする請求項８記載のサービス提供方法。
【発明の詳細な説明】
【技術分野】
【０００１】
本発明は運動支援システム及び運動支援端末装置及び運動支援サーバ及び運動支援方法並びにサービス提供方法に係り、特に、被運動支援者の運動を支援する運動支援システム及び運動支援端末装置及び運動支援サーバ及び運動支援方法並びにサービス提供方法に関する。
【背景技術】
【０００２】
従来、日本では、個人の健康を支援するよりも、診断、治療重視の政策が取られてきた。このため、自己責任で健康管理を行うという意識が低く、個人の健康管理を指導する人材も不足しがちである。このような現状に鑑み、個人の選択、根拠に基づく健康作り、健康、予防重視の政策が取られることになっており、各個人による健康維持管理が重要となっている。
【０００３】
現在、個人による健康の維持管理のために、インターネットを通して種々の情報が提供されている。
【０００４】
また、フィットネスクラブ、スポーツジムなどにおいては、個人の体力に応じて施設内で機器を使った運動が提案されている。
【０００５】
さらに、簡易な健康管理方法としては、個人が歩数計などを用いて運動量を認識することにより、健康の維持管理を行う方法もある。
【発明の開示】
【発明が解決しようとする課題】
【０００６】
しかるに、インターネット上の健康情報サイトでは、単に、ユーザの申告によりユーザの食事や運動方法などの情報を提供するだけであり、ユーザが提供された運動を行った場合に、正しく運動が行われているか否かを把握することは困難であった。また、運動がユーザの意志に基づくものであり、効果的に運動を行うことができなかった。
【０００７】
さらに、フィットネスクラブやスポーツジムでは、施設に通い、インストラクターの指導のもと、大掛かりな機器を用いて運動を行う必要があり、手軽さに欠けていた。
【０００８】
また、歩数計などは単に歩数だけを認識できるものであり、単なる目安であり、正確な消費カロリーを知ることはできなかった。
【０００９】
本発明は上記の点に鑑みてなされたもので、運動を効率よく、かつ、的確に行える運動支援システム及び運動支援端末装置及び運動支援サーバ並びに運動支援方法を提供することを目的とする。
【課題を解決するための手段】
【００１０】
本発明は、被運動支援者（２１）の運動を支援する運動支援システムであって、被運動支援者（２１）の身体の動きを検出し、検出された動き情報を送信するとともに、支援情報を受信して被運動支援者に報知する運動支援端末装置（１１）と、運動支援端末装置（１１）から送信された動き情報に基づいて被運動支援者の運動の状態を検出し、検出された被運動支援者の運動の状態に基づいて被運動支援者の動きを最適化するための支援情報を作成する運動支援サーバ（１３）とを有することを特徴とする。
【００１１】
運動支援サーバ（１３）は、支援情報を運動支援端末装置（１１）に送信することを特徴とする。
【００１２】
運動支援端末装置（１１）は、被運動支援者の身体の動きを検出する検出手段（３１）と、検出手段（３１）で検出された被運動支援者の身体の動きを運動支援端末装置に送信するとともに、運動支援サーバから送信された支援情報を受信して被運動支援者に報知する通信手段（３２）とを有することを特徴とする。
【００１３】
検出手段（３１）は、被運動支援者（２１）の関節部分の近傍に装着され、関節部分に働く力を検出するセンサ（４１）を有することを特徴とする。
【００１４】
なお、上記参照符号はあくまでも参考であり、これによって、特許請求の範囲の記載が限定されるものではない。
【発明の効果】
【００１５】
本発明によれば、運動支援端末装置により被運動支援者の身体の動きを検出し、検出された動き情報を運動支援サーバに送信し、運動支援サーバにより運動支援端末装置から送信された動き情報に基づいて被運動支援者の運動の状態を検出し、検出された被運動支援者の運動の状態に基づいて被運動支援者の動きを最適化するための支援情報を作成することにより、運動支援者は自分の運動の状態を認識し、支援情報に基づいて最適な運動を行うことができ、よって、運動を効率よく、かつ、的確に行える等の特長を有する。
【発明を実施するための最良の形態】
【００１６】
〔運動支援システム〕
図１は本発明の一実施例のシステム構成図を示す。
【００１７】
本実施例の運動支援システム１は、被運動支援者２１の運動、例えば、歩行方法などを支援するためのシステムであって、運動支援端末装置１１、ネットワーク１２、運動支援サーバ１３、健康情報提供サーバ１４、顧客管理サーバ１５、端末装置１６から構成される。
【００１８】
運動支援端末装置１１は、被運動支援者２１に装着されて用いられ、被運動支援者２１の身体の動きを検出し、検出された動きに基づいて作成される運動情報を、ネットワーク１２を介して送信するとともに、運動支援サーバ１３からネットワーク１２を介して送信された支援情報を受信して被運動支援者２１に報知する。
【００１９】
運動支援サーバ１３は、運動支援センタ２２などの設置され、運動支援端末装置１１からネットワーク１２を介して送信された動き情報に基づいて被運動支援者２１の運動の状態を解析し、解析された被運動支援者の運動の状態に基づいて被運動支援者２１の動きを最適化するための支援情報を取得し、ネットワーク１２を介して運動支援端末装置１１に送信する。
【００２０】
健康情報提供サーバ１４は、健康情報提供センタ２３などに設けられ、被運動支援者２１の身体の状態に基づいて食事や運動方法に関する情報を、ネットワーク１２を介して運動支援端末装置１１、端末装置１６、運動支援サーバ１３に提供する。
【００２１】
顧客管理サーバ１５は、例えば、保険会社などの顧客情報管理センタ２４などに設置され、保険契約者毎にその運動状態、契約した保険料、その割引率、割引後保険料などを管理しており、運動支援サーバ１３からネットワーク１２を介して運動情報状態を取得して、割引率、割引後保険料に反映する処理を行う。
【００２２】
端末装置１６は、被運動支援者２１の自宅２５に設置され、ネットワーク１６を介して運動支援サーバ１３、健康情報提供サーバ１４、顧客管理サーバ１５などにアクセスして、必要な情報を取得するために用いられる。また、運動支援端末装置１１に内蔵されたメモリカードなどに記憶された動き情報を、ネットワーク１２を介して運動支援サーバ１３に送信するために用いられる。
【００２３】
〔運動支援端末装置１１〕
次に運動支援端末装置１１について説明する。
【００２４】
図２は運動支援端末装置１１のブロック構成図である。
【００２５】
運動支援端末装置１１は、センサユニット３１及び通信ユニット３２から構成される。
【００２６】
センサユニット３１は、例えば、被運動支援者２１の肢体の関節近傍に装着され、被運動支援者２１の動きをセンシングするためのユニットであり、センサ４１、無線通信装置４２、電池４３から構成されている。センサ４１は、例えば、加速度センサや振動ジャイロなどの角速度センサなどから構成され、装着部分に働く力を２次元或いは３次元的に検出し、装着部分である、腕や脚の動きを２次元或いは３次元的を検出可能な構成とされている。
【００２７】
センサ４１で取得された検出信号は、無線通信装置４２に供給される。無線通信装置４２は、例えば、微弱電波による無線通信システムを構成しており、センサ４１から供給された検出信号により搬送波を変調して電波として外部に送出する。
【００２８】
電池４３は、ボタン形電池などから構成され、センサユニット３１で用いられる電源を供給する。
【００２９】
また、センサユニット３１は、例えば、リストバンドなどの形態をなし、被運動支援者２１の手首、肘、足首、膝などに装着される。なお、センサユニット３１の装着部分が多いほど被運動支援者２１の正確な動きを検出できる。
【００３０】
センサユニット３１から送出された電波は、通信ユニット３２で受信される。
【００３１】
通信ユニット３２は、無線通信装置５１、処理装置５２、記憶装置５３、データ通信装置５４、音声出力装置５５、操作部５６、電池５７、インタフェース回路５８、メモリカードスロット５９、ＵＳＢポート６０から構成される。
【００３２】
無線通信装置５１は、センサユニット３１の無線通信装置４２とともに、微弱電波による無線通信システムを構成しており、センサユニット３１から送出された電波を受信して、検出信号を復調する。無線通信装置５１で復調された検出信号は、処理装置５２に供給される。
【００３３】
処理装置５２は、センサユニット３１から供給される被運動支援者２１の動きに応じた検出信号に基づいて被運動支援者２１の運動の状態、例えば、歩行の動きを解析し、その運動の状態や消費カロリーなどを含む運動情報を作成する。
【００３４】
記憶装置５３は、メモリユニット、メモリカードなどから構成されており、処理装置５２で処理された運動情報などのデータを記憶する。
【００３５】
データ通信装置５４は、ネットワーク１２を介して運動支援サーバ１３とのデータ通信を行うための通信装置ユニットであり、ネットワーク１２に無線により接続可能とされている。
【００３６】
音声出力装置５５は、処理装置５２から供給される音声データに基づいて音声を出力する。被運動支援者２１は、音声出力装置５５から出力される音声により、運動支援を受けることができる。
【００３７】
操作部５６は、キースイッチなどから構成されており、処理装置５２に各種指示や被運動支援者２１に関するデータの入力を行うことができる。
【００３８】
電池５７は、電源を生成し、通信ユニット３２の各部に供給する。
【００３９】
インタフェース回路５８は、メモリカードスロット５９及びＵＳＢポート６０と処理装置５２とのインタフェースをとる。メモリカードスロット５９には、メモリカード３３が装着される。メモリカード３３には、運動情報などが記憶される。また、ＵＳＢポート６０には、ＵＳＢメモリ３４などのＵＳＢデバイスが接続される。ＵＳＢメモリ３４には、運動情報などが記憶される。メモリカード３３やＵＳＢメモリ３４に運動情報を記憶することにより、被運動支援者２１が自宅のコンピュータなどにより運動情報を管理できる。
【００４０】
なお、本実施例では、支援情報を音声により被運動支援者２１に報知したが、通信ユニット３２に表示装置などを設け、視覚的に報知するようにしてもよい。また、本実施例では、センサユニット３１からの検出信号を復調して、直接的に運動支援サーバ１３に送信するようにしてもよい。これによって、運動支援端末装置１１側での処理の負担を軽減でき、電池５７を長寿命化できる。
【００４１】
次に、通信ユニット３２の動作について説明する。
【００４２】
図３は処理装置５２の処理フローチャートを示す。
【００４３】
処理装置５２は、ステップＳ１−１でネットワーク１２を介して運動支援サーバ１３からデータを受信したか否かを判定する。通信ユニット３２は、ステップＳ１−１で運動支援サーバ１３からのデータを受信していない状態では、ステップＳ１−２でセンサユニット３１から検出信号を受信し、検出信号を取得する。取得された検出信号は、ディジタルデータに変換されて記憶装置５３に記憶される。
【００４４】
処理装置５２は、ステップＳ１−３で記憶装置５３に記憶されたセンサユニット３１からの検出信号に応じたデータを解析して、ステップＳ１−４で被運動支援者２１の運動状態に応じた運動情報を取得する。
【００４５】
データの解析では、例えば、検出信号の変位及び時間により、運動の大きさ、強さ、センサユニット３１の装着位置の運動方向などを検知することができる。検知された運動の大きさ、強さ、運動方向から運動、例えば、歩幅、歩行速度などの情報を取得できる。なお、被運動支援者２１の腕及び脚の複数箇所にセンサユニット３１を装着し、腕や脚の動きの角速度や加速度を３次元或いは２次元的に検出することにより、腕及び脚の動き、両方の動きのタイミングを知ることができるため、被運動支援者２１の歩数や歩行速度だけでなく、その歩行動作を認識できる。さらに、運動の強度、大きさなどを検知できるため、その動作の消費カロリーを正確に算出できる。このとき、本実施例では、歩行動作を解析しているため、歩数計に比べて正確にカロリー消費量を求めることが可能である。
【００４６】
処理装置５２は、ステップＳ１−４でデータ解析結果から被運動支援者２１の運動情報を取得すると、ステップＳ１−５で取得した運動情報に操作部５６などによって予め登録された被運動支援者２１のユーザＩＤを付与して、送信データを作成し、ステップＳ１−６でデータ通信装置５４により送信データを送出する。なお、ステップＳ1−4で取得された運動情報は、時刻情報などが付与されてメモリカード３３やＵＳＢメモリ３４などに記憶される。
【００４７】
また、処理装置５２は、ステップＳ１−１でネットワーク１２を介して運動支援サーバ１３からデータを受信すると、ステップＳ１−７で受信したデータから音声データを抽出し、音声出力装置５５に供給し、音声出力装置５５から音声を出力する。
【００４８】
以上のようにして、運動支援端末装置１１では、被運動支援者２１の動きを検出し、運動支援サーバ１３に提供するとともに、運動支援サーバ１３からの被運動支援者２１の動きに応じた運動支援情報を音声により被運動支援者２１に提供できる。
【００４９】
なお、通信ユニット３２は、携帯電話機や携帯電話網などを介して通信可能な構成とされたＰＤＡ（personal digital assistant）などで構成することもできる。
【００５０】
〔運動支援サーバ１３〕
次に運動支援サーバ１３について説明する。
【００５１】
図４は運動支援サーバ１３のブロック構成図を示す。
【００５２】
運動支援サーバ１３は、コンピュータシステムであり、通信装置６１、処理装置６２、ファイル装置６３、メモリ６４、入力装置６５、表示装置６６から構成される。
【００５３】
通信装置６１は、ネットワーク１２を介して運動支援端末装置１１との通信を行うため装置である。
【００５４】
処理装置６２は、ファイル装置６３に記憶されたプログラムに基づいて処理を行っており、運動支援端末装置１１からネットワーク１２を介して送信された送信データから被運動支援者２１及びその運動状態を検出し、ファイル装置６３に記憶されたデータベースに基づいて被運動支援者２１の運動の支援情報を作成し、ネットワーク１２を介して運動支援端末装置１１に送信する。
【００５５】
ファイル装置６３には、プログラムが格納されているとともに、運動評価値データベース６３ａ、支援情報データベース６３ｂ、並びに被運動支援者管理データベース６３ｃ、運動メニューデータベース６３ｄが格納されている。
【００５６】
図５は運動状態評価情報データベース６３ａのデータ構成図を示す。
【００５７】
運動状態評価情報データベース６３ａは、運動評価情報Ｄ11〜Ｄ1nに対応する支援情報が格納された支援情報アドレスＡ１〜Ａｎが格納されている。運動評価値データベース６３ａを参照することにより、運動評価情報Ｄ1iに基づいて対応する支援情報が格納された支援情報アドレスＡｉを取得できる。
【００５８】
図６は支援情報データベース６３ｂのデータ構成図を示す。
【００５９】
支援情報データベース６３ｂは、支援情報アドレスＡ１〜Ａｎに対応して支援情報Ｄ21〜Ｄ2nが格納された構成とされている。支援情報データベース６３ｂを参照することにより、支援情報アドレスＡｉに対応する支援情報Ｄ2iを取得できる。
【００６０】
図７は被運動支援者管理データベース６３ｃのデータ構成図を示す。
【００６１】
被運動支援者管理データベース６３ｃは、ユーザ識別情報ＩＤ1〜ＩＤm、身体状態情報Ｄ31〜Ｄ3m、運動メニュー情報Ｄ41〜Ｄ4m、年月日情報DATE11〜DATE1k〜DATEm1〜DATEmk、積算消費カロリー情報Ｃ11〜Ｃ1k、評価値情報から構成される。
【００６２】
ユーザ識別情報ＩＤ1〜ＩＤmは、被運動支援者２１を識別するための情報である。身体状態情報Ｄ31〜Ｄ3mは、被運動支援者２１の身長、通常歩行時の歩幅、年齢など身体情報及び被運動支援者２１の健康状態などに関する情報である。年月日情報DATE11〜DATE1k〜DATEm1〜DATEmkは、運動した年月日を示す情報である。積算消費カロリー情報Ｃ11〜Ｃ1kは、運動支援端末装置１１から送信された運動情報から抽出された消費カロリーを１日積算した消費カロリーを示す情報である。評価値情報は、積算消費カロリーと運動メニューにより設定された１日の消費カロリーとの差に応じて決定される情報であり、例えば、Ａ〜Ｆの５段階で示される。
【００６３】
メモリ６４は、処理装置６２の作業用記憶領域として使用される。
【００６４】
入力装置６５は、キーボード、マウスから構成され、処理装置６２への指示やデータの入力などを行う場合に用いられる。
【００６５】
表示装置６６は、ＣＲＴ、ＬＣＤなどから構成され、データや操作画面などが表示される。
【００６６】
運動支援サーバ１３の動作を説明する。
【００６７】
図８は処理装置６２の処理フローチャートを示す。
【００６８】
処理装置６２は、ステップＳ２−１で運動支援端末装置１１から送信されたデータを受信すると、ステップＳ２−２で受信したデータに含まれるユーザ識別情報を取得するとともに、ステップＳ２−３で受信したデータに含まれる運動情報を取得する。処理装置６２は、ステップＳ２−４で取得した運動情報を解析し、運動状態評価情報Ｄ11〜Ｄ1nを取得する。運動状態評価情報Ｄ11〜Ｄ1nは、例えば、運動の大きさ、動きの正確さに応じたデータである。運動状態評価情報Ｄ11〜Ｄ1nは、例えば、歩行においては、その歩幅、歩行速度、歩行方法に関するデータとなる。また、運動情報評価情報Ｄ11〜Ｄ1nは被運動支援者２１の身長、通常歩行時の歩幅、年齢などを考慮して決定される。このとき、被運動支援者２１の識別情報ＩＤiによって被運動支援者管理データベース６３ｃを参照することにより身体状態情報Ｄ31〜Ｄ3mから身長、通常歩行時の歩幅、年齢など必要な情報を取得し、取得した情報を解析時の係数として用いることにより、運動情報評価情報Ｄ11〜Ｄ1nに被運動支援者２１の身長、通常歩行時の歩幅、年齢などを考慮する。
【００６９】
以上により被運動支援者２１によって取得された運動状態に対する運動状態評価情報が異なることになり、被運動支援者２１に固有の情報を得ることができる。
【００７０】
処理装置６２は、ステップＳ２−５で取得した運動状態評価情報Ｄ1iによりデータベースを参照し、ステップＳ２−６で運動支援情報を取得する。このとき、処理装置６２は、まず、ステップＳ２−４で取得した運動状態評価情報Ｄ1iにより運動状態評価情報データベース６３ａを参照する。運動状態評価情報Ｄ1iにより運動状態評価情報データベース６３ａを参照することにより、支援情報アドレスＡｉが取得できる。次に処理装置６２は、取得された支援情報アドレスＡｉにより支援情報データベース６３ｂを参照する。支援情報アドレスＡｉにより支援情報データベース６３ｂを参照することにより、支援情報Ｄ2iを得ることができる。
【００７１】
例えば、運動状態評価情報が十分な歩幅が得られていないという評価のときには、支援情報として、歩幅を大きくする旨の情報が取得される。また、運動状態評価情報が十分な歩行速度でないという評価のときには、支援情報として歩行速度を速くする旨の情報が取得される。また、運動状態評価情報が、歩行方法が適切でない旨の評価のときには、支援情報として、歩行方法のチェックを要求する旨の情報が取得される。被運動支援者２１に装着されるセンサユニット３１の数が多く、腕や脚の動きまでも判定できるときには、さらに詳細に歩行方法について指示を行うようにしてもよい。例えば、腕の振りが規定値より内側に外れている場合には、腕をもっと外側に振り出す旨指摘したり、また、右脚の踏み出す方向が規定値より外側に外れているときには、右脚をもっと内側に振り出す旨指摘したりするようにしてもよい。これによって、被運動支援者２１は、正しい歩行方法を習得できる。
【００７２】
処理装置６２は、次に、ステップＳ２−７で取得した支援情報にユーザ識別情報ＩＤiを付与して送信データを作成し、ステップＳ２−８で通信装置６１によりネットワーク１２を介して被運動支援端末装置１１に送信する。
【００７３】
処理装置６２は、ステップＳ２−９で運動支援端末装置１１から取得した運動情報から消費カロリーを抽出し、積算する。次に処理装置６２は、ステップＳ２−１０で所定期間、例えば、１日経過すると、健康情報提供サーバ１４に被運動支援者２１の識別情報ＩＤiに対応する運動メニュー情報に含まれる消費カロリー情報を要求する。なお、このとき、運動メニュー情報に含まれる消費カロリー情報は、所定期間、例えば、１日の目標消費カロリーである。
【００７４】
処理装置６２は、ステップＳ２−１１で健康情報提供サーバ１４に消費カロリー情報を要求し、ステップＳ２−１２で健康情報提供サーバ１４から消費カロリー情報を取得すると、ステップＳ２−１３で積算した消費カロリー情報と健康情報提供サーバ１４から得られた消費カロリー情報とから評価値を決定する。評価値は、積算された消費カロリーと健康情報提供サーバ１４から得られた消費カロリーとの差異によって決定される。
【００７５】
例えば、積算された消費カロリーが健康情報提供サーバ１４から得られた消費カロリーにより大きい値に設定された第１の閾値より大きいときには評価値を「Ａ」とし、積算された消費カロリーが第１の閾値より小さく、かつ、第１の閾値より小さい値に設定された第２の閾値より大きいときには評価値を「Ｂ」とし、積算された消費カロリーと健康情報提供サーバ１４から得られた消費カロリーとが略等しいときには評価値を「Ｃ」とし、積算された消費カロリーが健康情報提供サーバ１４から得られた消費カロリーにより小さい値に設定された第３の閾値より小さいときには評価値を「Ｄ」とし、積算された消費カロリーが第３の閾値より小さく、かつ、第３の閾値よりさらに小さい値に設定された第４の閾値より小さいときには評価値を「Ｅ」とする。
【００７６】
処理装置６２は、ステップ２−１４で積算された消費カロリー及び評価値を被運動支援者管理データベース６３ｃに登録し、メモリ６４などに記憶された積算される消費カロリーをリセットし、ステップＳ１−１に戻って処理を続ける。
【００７７】
以上により、運動支援サーバ１３により運動支援端末装置１１から被運動支援者２１の運動状態を示す運動状態情報を取得し、取得した運動状態情報に基づいて被運動支援者２１に固有の支援情報をリアルタイムで取得でき、被運動支援端末装置１１に送信できる。
【００７８】
〔健康情報提供サーバ１４〕
次に健康情報提供サーバ１４について説明を行う。
【００７９】
図９は健康情報提供サーバ１４のブロック構成図を示す。
【００８０】
健康情報提供サーバ１４は、コンピュータシステムであり、通信装置７１、処理装置７２、ファイル装置７３、メモリ７４、入力装置７５、表示装置７６から構成される。
【００８１】
通信装置７１は、ネットワーク１２を介して運動支援サーバ１３及び顧客管理サーバ１５並びに端末装置１６との通信を行うため装置である。
【００８２】
処理装置７２は、ファイル装置７３に記憶されたプログラムに基づいて処理を行っており、運動支援サーバ１３からネットワーク１２を介して送信される運動情報及び運動評価値から被運動支援者２１の運動の状態を検出し、被運動支援者２１に適切な食事メニューなどを提供する。
【００８３】
ファイル装置７３には、処理装置７２で実行されるプログラムが格納されているとともに、健康支援データベース７３ａが格納されている。
【００８４】
図１０は健康支援データベース７３ａのデータ構成図を示す。
【００８５】
健康支援データベース７３は、被運動支援者識別情報ＩＤ1〜ＩＤm、身体状態情報Ｄ31〜Ｄ3m、食事メニュー情報Ｄ41〜Ｄ4m、運動メニュー情報Ｄ51〜Ｄ5mから構成される。
【００８６】
被運動支援者識別情報ＩＤ1〜ＩＤmは、被運動支援者２１を識別するための情報である。身体状態情報Ｄ31〜Ｄ3mは、被運動支援者２１の身長、通常歩行時の歩幅、年齢など身体情報及び被運動支援者２１の検診結果の情報である。
【００８７】
食事メニュー情報Ｄ41〜Ｄ4mは、被運動支援者２１の食事メニューに関する情報である。運動メニュー情報Ｄ51〜Ｄ5mは、被運動支援者２１の運動に関するメニュー情報である。食事メニュー情報Ｄ41〜Ｄ4m及び運動メニューＤ51〜Ｄ5mは、各被運動支援者２１の身体状態情報に基づいて作成される。
【００８８】
次に健康支援サーバ１４の動作を説明する。
【００８９】
図１１は処理装置７２の処理フローチャートを示す。
【００９０】
処理装置７２は、ステップＳ３−１で運動支援サーバ１３から消費カロリー情報の送信要求を受信すると、ステップＳ３−２で送信要求に含まれる識別情報ＩＤiを抽出する。処理装置７２は、ステップＳ３−３で送信要求に含まれる識別情報ＩＤiにより健康支援データベース７３ａを参照して、ステップＳ３−４で識別情報ＩＤiの運動メニュー情報Ｄ5iから消費カロリー情報を取得する。
【００９１】
処理装置７２は、ステップＳ３−５で取得された消費カロリー情報に識別情報ＩＤiを付与して、送信データ作成し、ステップＳ３−６で健康情報提供サーバ１４に送信する。
【００９２】
また、健康支援データベース７３ａに設定された身体状態情報Ｄ31〜Ｄ3m、食事メニュー情報Ｄ41〜Ｄ4m、運動メニュー情報Ｄ51〜Ｄ5mは、端末装置１６からの要求によって参照可能とされている。
【００９３】
〔顧客管理サーバ１５〕
次に顧客管理サーバ１５について説明する。
【００９４】
図１２は顧客管理サーバ１５のブロック構成図を示す。
【００９５】
顧客管理サーバ１５は、コンピュータシステムであり、通信装置８１、処理装置８２、ファイル装置８３、メモリ８４、入力装置８５、表示装置８６から構成される。
【００９６】
通信装置８１は、ネットワーク１２を介して運動支援端末装置１１との通信を行うため装置である。
【００９７】
処理装置８２は、ファイル装置８３に記憶されたプログラムに基づいて処理を行っており、運動支援端末装置１１からネットワーク１２を介して送信された送信データから被運動支援者２１の評価値を検出し、ファイル装置６３に記憶されたデータベースに基づいて被運動支援者２１の保険料の割引率を決定する。
【００９８】
ファイル装置８３には、プログラムが格納されているとともに、顧客管理データベース８３ａが格納されている。
【００９９】
図１３は顧客管理データベース８３ａのデータ構成図を示す。
【０１００】
顧客管理データベース８３ａは、識別情報ＩＤ1〜ＩＤm、評価値情報、割引率情報、保険料情報、割引後保険料情報から構成されている。
【０１０１】
評価値情報は、積算消費カロリーと運動メニューにより設定された１日の消費カロリーとの差に応じて決定される情報であり、例えば、Ａ〜Ｆの５段階で示される情報である。この評価値情報を参照することにより、被運動支援者２１が運動メニューで設定された運動を行っているか否かを判定できる。
割引率情報は、保険料の割引率を決定するための情報であり、評価値情報に応じて決定される。例えば、評価値Ａで０．３、評価値Ｂで０．２、評価値Ｃで０．１に設定される。
【０１０２】
保険料情報は、契約した保険に対応する保険料を示す情報である。割引後保険料情報は、割引後の保険料であり、保険料情報に割引率情報をかけた割引料金を保険料情報から減算した保険料である。
【０１０３】
メモリ８４は、処理装置８２の作業用記憶領域として使用される。
【０１０４】
入力装置８５は、キーボード、マウスから構成され、処理装置８２への指示やデータの入力などを行う場合に用いられる。
【０１０５】
表示装置８６は、ＣＲＴ、ＬＣＤなどから構成され、データや操作画面などが表示される。
【０１０６】
次に顧客管理サーバ１５の動作を説明する。
【０１０７】
図１４は処理装置８２の処理フローチャートを示す。
【０１０８】
処理装置８２は、ステップＳ４−１で保険料査定が指示されると、ステップＳ４−２で運動支援サーバ１３に評価値情報を要求する。処理装置８２は、ステップＳ４−３で評価値情報を取得すると、ステップＳ４−４で取得した評価値情報から割引率情報を取得する。
【０１０９】
処理装置８２は、次にステップＳ４−５で保険料情報を取得し、ステップＳ４−６で保険料情報に割引率情報をかけることによって、割引料金を算出し、保険料情報から割引料金を減算することによって、割引後保険料を算出する。
【０１１０】
次に処理装置８２は、ステップＳ４−７で顧客管理データベース８３ａを更新し、ステップＳ４−８で保険料通知書を作成し、印刷する。
【０１１１】
以上により、顧客管理サーバ１５で、被運動支援者２１の評価値情報に基づいて保険料が割引される。
【０１１２】
なお、本実施例では、保険会社の顧客管理サーバ１５について説明したが、これに限定されるものではなく、評価値情報を健康保険の保険料や病院の治療費などに反映させるようにしてもよい。
【０１１３】
〔端末装置１６〕
次に端末装置１６について説明する。
【０１１４】
図１５は端末装置１６のブロック構成図を示す。
【０１１５】
端末装置１６は、例えば、パーソナルコンピュータから構成されており、通信装置９１、処理装置９２、ファイル装置９３、メモリ９４、メモリカードスロット９５、ＵＳＢポート９６、インタフェース回路９７、入力装置９８、表示装置９９から構成されている。
【０１１６】
通信装置９１は、ネットワーク１２を介して運動支援サーバ１３、健康情報提供サーバ１４との通信を行うため装置である。
【０１１７】
処理装置９２は、ファイル装置８３に記憶されたプログラムに基づいて処理を行っており、被運動支援者２１の指示に応じてメモリカードなどから運動情報を取得して、ネットワーク１２を介して運動情報を運動支援サーバ１３に送信するとともに、運動支援サーバ１３から評価値を取得したり、健康情報提供サーバ１４に記憶された身体状態情報、食事メニュー情報、運動メニュー情報を参照したりする処理が可能とされている。
【０１１８】
ファイル装置９３には、プログラムが格納されているとともに、運動情報データなどが格納される。
【０１１９】
メモリ９４は、処理装置９２の作業用記憶領域として使用される。
【０１２０】
メモリカードスロット９５には、メモリカード１０１が装着される。インタフェース回路９７は、処理装置９２からメモリカード１０１の読み取りが指示されると、メモリカードスロット９５に装着されたメモリカード１０１からデータを読み取る。
【０１２１】
ＵＳＢポート９６には、ＵＳＢデバイスが直接又はＵＳＢケーブルを介して接続される。インタフェース回路９７は、処理装置９２からＵＳＢポート９６に接続されたＵＳＢデバイスに対して指示があると、ＵＳＢポート９６に接続されたＵＳＢデバイスに対して指示を送出する。また、インタフェース回路９７は、ＵＳＢポート９６に接続されたＵＳＢデバイス１０２からデータなどが送出されると、そのデータを処理装置９２に送出する。
【０１２２】
入力装置９８は、キーボード、マウスから構成され、処理装置９２への指示やデータの入力などを行う場合に用いられる。
【０１２３】
表示装置９９は、ＣＲＴ、ＬＣＤなどから構成され、データや操作画面などが表示される。
【０１２４】
次に端末装置１６の動作を説明する。
【０１２５】
図１６は処理装置９２の処理フローチャートを示す。
【０１２６】
処理装置９２は、ステップＳ５−１で運動情報取込の指示が行われると、ステップＳ５−２でメモリカードスロット９５に装着されたメモリカード１０１又はＵＳＢポート９６に接続されたＵＳＢデバイス１０２から運動情報を読み込む。なお、メモリカード１０１又はＵＳＢデバイス１０２は、直前まで運動支援端末装置１３に装着され、運動情報が記憶されたものである。
【０１２７】
次に、処理装置９２は、ステップＳ５−３で運動情報の送信の指示があると、ステップＳ５−４で運動情報を含む送信データを作成して、ステップＳ５−５で通信装置９１を動作させ、ネットワーク１２を介して運動支援サーバ１３に送信する。
【０１２８】
運動支援サーバ１３では、端末装置１６から送信された運動情報に基づいて支援情報を作成し、端末装置１６に送信する。
【０１２９】
処理装置９２は、ステップＳ５−６で運動支援サーバ１３から支援情報を受信すると、ステップＳ５−７で受信した支援情報を表示装置９８に表示する。
【０１３０】
被運動支援者２１は、表示装置９８に表示された支援情報を参照することにより、その日の消費カロリーや歩行方法などを知ることができる。
【０１３１】
〔その他〕
なお、運動支援システムをとフィットネスクラブ、スポーツ用品メーカ、健康グッズメーカ、あるいは販売店などのコンピュータシステムとをリンクさせ、フィットネスクラブ、スポーツ用品メーカ、健康グッズメーカ、あるいは販売店などに対して支援情報を提供することによって、被運動支援者２１はフィットネスクラブ、スポーツ用品メーカ、健康グッズメーカ、あるいは販売店などから適切な運動方法や用具などの提案を受けることができる。また、宅配業者、健康食品メーカなどと提携することにより、食事メニューなどの提案を受けることができる。さらに、医療機関などと連携して、評価値情報によって、医療費などの割引を行うようにしてもよい。
【０１３２】
また、本実施例では、運動情報として歩行方法を検出する例について説明したが、運動は歩行に限定されるものではなく、ジョギングなど他の運動を含めて支援することも可能である。
【０１３３】
また、本実施例では、説明を簡単にするために保険会社２４が運動支援サーバ１３、健康情報提供サーバ１４から直接評価値情報などを取得して、割引率を求め、保険料の割引を行ったが、被運動支援者２１と保険会社２４との間にサービスプロバイダを設けるようにしてもよい。
【０１３４】
サービスプロバイダは、サービスサーバを有し、サービスサーバによって運動、食事、保険、医療費などを統括的に管理している。サービスサーバは、例えば、運動支援サーバ１３、健康情報提供サーバ１４、顧客管理サーバ１５、医療機関などから各種情報を取得して、保険料、医療費の割引などの処理を行うとともに、被健康支援者２１などから保険料、医療費の徴収、精算などの処理を行う。被運動支援者２１は、サービスプロバイダと契約することによって、健康全般について統括的に支援を受けることができ、高度な予防医療が実現できる。
【０１３５】
また、サービスプロバイダは、運動支援センタ２２、健康情報提供センタ２３などを含む構成であってもよい。
【０１３６】
〔他の実施例〕
図１７は本発明の他の実施例のシステム構成図を示す。同図中、図１と同一構成部分には同一符号を付し、その説明は省略する。
【０１３７】
本実施例は、図１において、アプリケーションサービスプロバイダ（ＡＳＰ）サーバ２１７を追加した構成とされている。ＡＳＰサーバ２１７は、アプリケーションサービスプロバイダ２２６に設けられており、被運動支援者２１との契約、登録などの処理を行う。また、サービスプロバイダ２２６は、システムの構築、運営、管理を行うためのプロバイダであり、例えば、運動支援センタ２２、健康情報提供センタ２３、保険会社２４などと契約を行い、契約者である被運動支援者２１に対して運動支援情報、健康情報の提供、及び、保険会社２４への保険料割引のための情報の提供などを行う。
【０１３８】
ＡＳＰサーバ２１７は、コンピュータシステムであり、通信装置２３１、処理装置２３２、ファイル装置２３３、メモリ２３４、入力装置２３５、表示装置２３６から構成される。
【０１３９】
通信装置２３１は、ネットワーク１２を介して運動支援端末装置１１、運動支援サーバ１３、健康情報提供サーバ１４、顧客管理サーバ１５などとの通信を行うため装置である。
【０１４０】
処理装置２３２は、ファイル装置２３３に記憶されたプログラムに基づいて処理を行っており、運動支援希望者などからの契約、登録処理などを実行する。
【０１４１】
ファイル装置２３３には、プログラムが格納されているとともに、契約者である被運動支援者２１の登録情報データベース２３３ａが格納されている。
【０１４２】
図１９は登録情報データベース２３３ａのデータ構成図を示す。
【０１４３】
登録情報データベース２３３ａは、契約者識別情報ID1〜IDN、連絡先情報ADD1〜ADDn、身体情報D11〜D1n、運動特性情報D21〜D2n、保険契約情報D31〜D3n、備考D41〜D4nなどを登録可能とされている。契約者識別情報ID1〜IDNは、契約者、すなわち、運動支援者２１を識別するための識別番号、氏名などの情報である。連絡先情報ADD1〜ADDnは、契約者、すなわち、運動支援者２１の住所、電子メールアドレス、その他、契約者の連絡先を示す情報である。身体情報D11〜D1nは、契約者、すなわち、運動支援者２１の年齢や身長、体重などの情報である。運動特性情報D21〜D2nは、契約者、すなわち、運動支援者２１に特有の運動時の癖などを示す情報である。保険契約情報D31〜D3nは、契約者、すなわち、運動支援者２１の保険への加入、加入内容などに関する情報である。
【０１４４】
メモリ２３４は、処理装置２３２の作業用記憶領域として使用される。
【０１４５】
入力装置２３５は、キーボード、マウスから構成され、処理装置２３２への指示やデータの入力などを行う場合に用いられる。
【０１４６】
表示装置２３６は、ＣＲＴ、ＬＣＤなどから構成され、データや操作画面などが表示される。
【０１４７】
次に、本発明のシステムの動作を説明する。
【０１４８】
図２０は本発明の他の実施例の動作説明図を示す。
【０１４９】
運動支援希望者は、運動支援サービスを受けようとする場合、端末装置１６などからＡＳＰサーバ２１７にアクセスする。処理装置２３２は、ステップＳ６−１で端末装置１６からのアクセスがあると、ステップＳ６−２で端末装置１６にメニュー画面など表示させる。
【０１５０】
運動支援希望者は、まず、端末装置１６に表示されたメニュー画面から運動支援サービス契約ボタンを選択する。ＡＳＰサーバ２１７はステップＳ６−３で運動支援サービス契約ボタンが選択されると、ステップＳ６−４で端末装置１６に運動支援サービス申込画面を表示させる。
【０１５１】
運動支援希望者は、端末装置１６に表示された運動支援サービス契約申込画面の住所、電子メールアドレス、氏名、年齢、身体情報、支払いなどに関する契約情報を入力部に入力し、契約確定ボタンを操作する。端末装置１６は、運動支援希望者により契約確定ボタンが操作されると、入力された情報を所定の方法によって暗号化してＡＳＰサーバ２１７に送信する。
【０１５２】
処理装置２３２は、ステップＳ６−５で端末装置１６から申込情報を受信すると、ステップＳ６−６で受信した申込情報を登録情報データベース２３３ａに格納する。また、ＡＳＰサーバ２１７は、契約情報の登録情報データベース２３３ａへの登録後、ステップＳ６−７で運動支援希望者に電子メールなどにより登録が完了した旨の通知を行う。以上により、運動支援サービスの申込は終了する。
【０１５３】
アプリケーションプロバイダ２２６は、登録情報データベース２２３ａへの登録後、支払いが確認されると、運動支援希望者に対して運動支援端末装置１１を配送する。このとき、運動支援希望者に対して登録識別番号情報も通知する。
【０１５４】
運動支援端末装置１１が配送された運動支援希望者は、運動支援者２１として、運動支援端末装置１１を装着して、歩行などの運動を行うことが可能となる。このとき、運動支援者２１は、通知された登録識別番号情報を運動支援端末装置１１からＡＳＰサーバ２１７に通知する。
【０１５５】
図２１は処理装置２３２の認証処理の処理フローチャートを示す。
【０１５６】
ＡＳＰサーバ２１７の処理装置２３２はステップＳ７−１で運動支援端末装置１１から登録識別番号情報が通知されると、ステップＳ７−２で登録情報データベース２３３ａを参照して、ステップＳ７−３で運動支援端末装置１１から通知された登録識別番号情報が登録されているか否かを判定し、本人確認を行う。ステップＳ７−３で通知された登録識別番号情報が登録されていれば、登録者本人であると確認して、ステップＳ７−４で運動支援端末装置１１からの運動情報を運動支援サーバ１３に供給し、運動支援サーバ１３による運動支援を可能とする。
【０１５７】
なお、このとき、ＡＳＰサーバ２１７にパスワードを格納しておき、登録識別番号情報とパスワードとの両方で本人確認を行うようにしてもよい。
【０１５８】
なお、運動情報から各運動支援希望者の運動の特性を抽出し、抽出された運動特性から本人確認を自動的に行うようにしてもよい。
【０１５９】
図２２は処理装置２３２の認証処理の変形例の処理フローチャートを示す。
【０１６０】
アプリケーションサービスプロバイダ２２６は、まず、契約時などに所定のフィットネスクラブなどで運動支援希望者に所定の運動を行ってもらい、その運動の状態を測定し、測定結果から運動特性を抽出する。抽出された運動特性は、登録情報データベース２３３ａに予め登録しておく。
【０１６１】
まず、運動支援者が運動を行う際には、運動支援端末装置１１を自身に装着し、ＡＳＰサーバ２１７に対してネットワーク１２を介して通信可能な状態とする。ＡＳＰサーバ２１７の処理装置２３２は、ステップＳ８−１で運動支援端末装置１１との通信が可能とされると、ステップＳ８−２で運動支援端末装置１１に対して運動指示を行う。
【０１６２】
運動支援端末装置１１では、ＡＳＰサーバ２１７からの運動指示を運動支援者２１に報知する。運動支援者２１は、運動支援端末装置１１からの運動指示に応じて運動を行う。運動支援端末装置１１は、ＡＳＰサーバ２１７に運動情報を送信する。
【０１６３】
ＡＳＰサーバ２１７の処理装置２３２は、ステップＳ８−３で運動支援端末装置１１からの運動情報を受信すると、ステップＳ８−４で受信した運動情報を解析して、被運動支援者２１の運動特性を抽出する。
【０１６４】
処理装置２３２は、ステップＳ８−５で抽出された運動特性により登録情報データベース２２３ａを参照して、本人確認を行う。処理装置２３２は、ステップＳ８−６で本人確認が成功すると、ステップＳ８−７で運動支援端末装置１１からの運動情報の運動支援サーバ１３への供給を開始する。
【０１６５】
運動支援サーバ１３では、運動支援端末装置１１からの検出信号に基づいて支援情報を作成して、ＡＳＰサーバ２１７を介して運動支援端末装置１１に返送する。これによって、運動支援希望者は、運動支援を受けることができ、正しい運動を行うことができる。
【０１６６】
本実施例によれば、ＡＳＰサーバ２１７で運動支援者の本人確認及び管理を行えばよいので、運動支援サーバ１３では運動情報に応じた運動支援情報の作成を行えばよく、運動支援サーバ１３の処理の負荷を軽減できる。なお、ＡＳＰサーバ２１７に運動支援サーバ１３の運動情報に基づいて運動支援情報を作成する機能を持たせるようにしてもよい。
【０１６７】
同様に、端末装置１６などから健康情報提供サーバ１４にアクセスする場合にもＡＳＰサーバ２１７で本人確認を行い、アクセスを許可することにより、健康情報提供サーバ１４の処理の負荷を軽減できる。なお、ＡＳＰサーバ２１７に健康情報提供サーバ１４の有する健康情報提供機能を持たせるようにしてもよい。
【０１６８】
なお、アプリケーションサービスプロバイダ２２６は、例えば、運動支援サービス契約者に会費を支払ってもらい、運動支援サービス契約者により支払われた会費により運営を行うようにしてもよい。
【０１６９】
また、本実施例の運動支援システムによれば、保険会社は上述の如く、運動の達成度などにより保険料の割引を行うことにより、契約者の増加を見込める。
【図面の簡単な説明】
【０１７０】
【図１】本発明の一実施例のシステム構成図である。
【図２】運動支援端末装置１１のブロック構成図である。
【図３】処理装置５２の処理フローチャートである。
【図４】運動支援サーバ１３のブロック構成図である。
【図５】運動評価値データベース６３ａのデータ構成図である。
【図６】支援情報データベース６３ｂのデータ構成図である。
【図７】被運動支援者管理データベース６３ｃのデータ構成図である。
【図８】処理装置６２の処理フローチャートである。
【図９】健康情報提供サーバ１４のブロック構成図である。
【図１０】健康支援データベース７３ａのデータ構成図である。
【図１１】処理装置７２の処理フローチャートである。
【図１２】顧客管理サーバ１５のブロック構成図である。
【図１３】顧客管理データベース８３ａのデータ構成図である。
【図１４】処理装置８２の処理フローチャートである。
【図１５】端末装置１６のブロック構成図である。
【図１６】処理装置９２の処理フローチャートである。
【図１７】本発明の他の実施例のシステム構成図である。
【図１８】ＡＳＰサーバ２１７のブロック構成図である。
【図１９】登録情報データベース２３３ａのデータ構成図である。
【図２０】処理装置２３２の処理フローチャートである。
【図２１】ＡＳＰサーバ２１７の認証処理の処理フローチャートである。
【図２２】ＡＳＰサーバ２１７の認証処理の処理フローチャートである。
【符号の説明】
【０１７１】
１    運動支援システム
１１  運動支援端末装置
１２  ネットワーク
１３  運動支援サーバ
１４  健康情報提供サーバ
１５  顧客管理サーバ
１６  端末装置
【図１】
2005323967.tif 000003
【図２】
2005323967.tif 000004
【図３】
2005323967.tif 000005
【図４】
2005323967.tif 000006
【図５】
2005323967.tif 000007
【図６】
2005323967.tif 000008
【図７】
2005323967.tif 000009
【図８】
2005323967.tif 000010
【図９】
2005323967.tif 000011
【図１０】
2005323967.tif 000012
【図１１】
2005323967.tif 000013
【図１２】
2005323967.tif 000014
【図１３】
2005323967.tif 000015
【図１４】
2005323967.tif 000016
【図１５】
2005323967.tif 000017
【図１６】
2005323967.tif 000018
【図１７】
2005323967.tif 000019
【図１８】
2005323967.tif 000020
【図１９】
2005323967.tif 000021
【図２０】
2005323967.tif 000022
【図２１】
2005323967.tif 000023
【図２２】
2005323967.tif 000024